(57)【特許請求の範囲】
【請求項１】
扉枠の左右の吊元側でヒンジを介して開閉自在とした外開きの観音開き戸の内側に後付けして外側からの進水を止水自在とする止水ユニットであって、
一方の扉の吊元側と戸先側の垂直辺側縁と下側の水平辺側縁とに設置する後止水付勢部と、
他方の扉の吊元側の垂直辺側縁と下側の水平辺側縁とに設置する前止水付勢部と、
前記扉枠の垂直枠に設置する垂直枠止水受部と水平枠に設置する水平枠止水受部と、
前記他方の扉の戸先側の垂直辺側縁に設置する扉止水受部と、からなり、
前記後止水付勢部と前記前止水付勢部は、各扉に接続するための平坦面を一側面の長手方向に形成した扉接続基部を有し、前記扉接続基部の他側面には先端先鋭の凸部を長手方向に連続して形成した止水凸部を有し、
前記他方の扉の前記下側の前記水平辺側縁に設置する前記前止水付勢部は、戸先を越えて伸延する延長付勢部を有すると共に、前記延長付勢部は、閉蓋時に前記一方の扉の前記戸先側の角部に位置する前記後止水付勢部と近接し、
前記垂直枠止水受部は、前記垂直枠に接続する垂直枠接続基部と、前記止水凸部と当接して弾性変形するシール材を収容した垂直枠シール部とを有し、
前記水平枠止水受部は、前記水平枠に接続する水平枠接続基部と、前記止水凸部と当接して弾性変形するシール材を収容した水平枠シール部とを有し、
前記扉止水受部は、前記他方の扉に接続する戸先接続基部と、前記止水凸部と当接して弾性変形するシール材を収容した戸先シール部とを有し、
前記水平枠止水受部は、閉蓋時に前記戸先シール部の端部側と嵌合する切欠き嵌合部を形成したことを特徴とする止水ユニット。
【請求項２】
前記垂直枠止水受部は、前記垂直枠シール部の下部に垂直枠ビス挿通部を形成したことを特徴とする請求項１に記載の止水ユニット。
【請求項３】
前記水平枠止水受部は、前記水平枠シール部の下部に水平枠ビス挿通部を形成したことを特徴とする請求項２に記載の止水ユニット。
【請求項４】
前記垂直枠シール部に収容する前記シール材は、内側に傾斜した断面視台形状に形成したことを特徴とする請求項１乃至３の何れか１項に記載の止水ユニット。
【請求項５】
前記一方の扉と前記他方の扉の前記吊元側の前記垂直辺側縁に設置する前記後止水付勢部と前記前止水付勢部の前記扉接続基部は、前記凸部に対して前記吊元側よりも前記戸先側に幅広に形成したことを特徴とする請求項１乃至４の何れか１項に記載の止水ユニット。
【発明の詳細な説明】
【技術分野】
【０００１】
本発明は、建物内外の出入口や通路に形成された既存の扉に後付けで設置して水害の際に扉からの浸水を容易に防止する止水ユニットに関する。
【背景技術】
【０００２】
従来、大雨による洪水や高潮、津波等の災害時においては建物内外の開口部である出入口や通路が浸水すると建物内に水が浸入し、居住空間や公共施設等であればその場での生活や活動が不可能となり、店舗や倉庫であれば陳列商品や在庫が水浸しとなり多大な被害を受けることになる。
【０００３】
また、近年では気候変動による短時間での集中豪雨が地域を問わず多発する傾向にあり、特に、インフラの主軸となる発電所やその中継拠点に設置され電気の供給を制御する電気設備や機械等を納めた電気室や機械室等の重要設備が浸水することは電気の供給が遮断されることに直結するため日常生活に多大な影響を及ぼすだけでなく、その後の復旧工事にも大きな障害となってしまい水害への防災対策は急務の課題となっている。
【０００４】
これまで、建物内外への浸水対策は種々考案されており、高価で大掛かりな防水扉を建物の出入口に設置することで建物内への浸水を防止する防水装置に係る技術は多数考案されている。しかしながら、水害を想定した安価で容易に浸水を防止する装置に係る技術は非常に少ないのが現状である。
【０００５】
このような状況において、例えば、特許文献１に開示されている両開き扉装置は、扉枠の開口部に吊り元側を扉枠に枢着した一対の扉を夫々開閉可能に設け、一方の扉の戸先側に召合せ部材を上下方向に設け、召合せ部材あるいは他方の扉の戸先側のいずれかに召合せシール部材を設けて、召し合せシール部材を介して一方の扉の召し合せ部材と他方の扉の戸先側とを圧着して両方の扉の戸先側を密着させ、扉あるいは扉枠のいずれかにシール部材を設けて双方を圧着して開口部を密閉する両開き扉装置において、前記他方の扉を先開き扉とし、先開き扉の戸先側に前記召合せシール部材を上下方向に設け、前記召合せ部材を設けた一方の扉を後開き扉とし、前記扉枠を構成する竪枠および横枠に前記シール部材を一対の扉の縁部が圧着するように設け、前記召合せ部材の上下方向の端部を被挟持部とし、被挟持部を前記シール部材と前記召合せシール部材とで挟み込んで密閉するようにしたものである。
【０００６】
すなわち、簡単な構造で召合せ部上下方向両端での扉と扉枠との密閉を高くし、密閉性が高い両開き扉装置を提供しようとするものである。
【先行技術文献】
【特許文献】
【０００７】
【特許文献１】特開２０１１−０９４３３２号公報
【発明の概要】
【発明が解決しようとする課題】
【０００８】
確かに、特許文献１に係る両開き扉装置は、構成部材が比較的少なく簡単な構造で密閉性を向上できるため大掛かりな防水扉よりも安価に提供できる点で優れている。
【０００９】
しかしながら、新規設置であれば良いが、既に建物や設備等に設置されている通常の扉に対して水害への防災対策を施す場合は、既設の扉を除去して当該装置に置き換える必要があるため同種の扉に対しては安価であっても、なお高価な装置であることは否めず、更に、ある程度の規模の工事となるため一定程度の工期を想定しなければならない。
【００１０】
特に、インフラの主軸となる発電所やその中継拠点は既に広範囲に多数存在するため、その全てに対して置き換え工事を行なうとなれば膨大な費用が掛かってしまい、これは、利用する需要者が電気料金の一部として負担することにもなってしまう。
【００１１】
本発明は、以上のような事情に鑑みてなされたものであり、建物内外の出入口や通路に形成された既存の扉に後付けで設置可能で水害の際に扉からの浸水を容易に防止できると共に、構造がシンプルで安価に製造できる止水ユニットを提供することにある。
【課題を解決するための手段】
【００１２】
以上のような目的を達成するために、本発明は以下のようなものを提供する。
【００１３】
請求項１に係る発明では、扉枠の左右の吊元側でヒンジを介して開閉自在とした外開きの観音開き戸の内側に後付けして外側からの進水を止水自在とする止水ユニットであって、一方の扉の吊元側と戸先側の垂直辺側縁と下側の水平辺側縁とに設置する後止水付勢部と、他方の扉の吊元側の垂直辺側縁と下側の水平辺側縁とに設置する前止水付勢部と、前記扉枠の垂直枠に設置する垂直枠止水受部と水平枠に設置する水平枠止水受部と、前記他方の扉の戸先側の垂直辺側縁に設置する扉止水受部と、からなり、前記後止水付勢部と前記前止水付勢部は、各扉に接続するための平坦面を一側面の長手方向に形成した扉接続基部を有し、前記扉接続基部の他側面には先端先鋭の凸部を長手方向に連続して形成した止水凸部を有し、前記他方の扉の前記下側の前記水平辺側縁に設置する前記前止水付勢部は、戸先を越えて伸延する延長付勢部を有すると共に、前記延長付勢部は、閉蓋時に前記一方の扉の前記戸先側の角部に位置する前記後止水付勢部と近接し、前記垂直枠止水受部は、前記垂直枠に接続する垂直枠接続基部と、前記止水凸部と当接して弾性変形するシール材を収容した垂直枠シール部とを有し、前記水平枠止水受部は、前記水平枠に接続する水平枠接続基部と、前記止水凸部と当接して弾性変形するシール材を収容した水平枠シール部とを有し、前記扉止水受部は、前記他方の扉に接続する戸先接続基部と、前記止水凸部と当接して弾性変形するシール材を収容した戸先シール部とを有し、前記水平枠止水受部は、閉蓋時に前記戸先シール部の端部側と嵌合する切欠き嵌合部を形成したことを特徴とする止水ユニットを提供せんとする。
【００１４】
請求項２に係る発明では、前記垂直枠止水受部は、前記垂直枠シール部の下部に垂直枠ビス挿通部を形成したことを特徴とする請求項１に記載の止水ユニットを提供せんとする。
【００１５】
請求項３に係る発明では、前記水平枠止水受部は、前記水平枠シール部の下部に水平枠ビス挿通部を形成したことを特徴とする請求項２に記載の止水ユニットを提供せんとする。
【００１６】
請求項４に係る発明では、前記垂直枠シール部に収容する前記シール材は、内側に傾斜した断面視台形状に形成したことを特徴とする請求項１乃至３の何れか１項に記載の止水ユニットを提供せんとする。
【００１７】
請求項５に係る発明では、前記一方の扉と前記他方の扉の前記吊元側の前記垂直辺側縁に設置する前記後止水付勢部と前記前止水付勢部の前記扉接続基部は、前記凸部に対して前記吊元側よりも前記戸先側に幅広に形成したことを特徴とする請求項１乃至４の何れか１項に記載の止水ユニットを提供せんとする。
【発明の効果】
【００１８】
請求項１記載の発明によれば、一方の扉の吊元側と戸先側の垂直辺側縁と下側の水平辺側縁とに設置する後止水付勢部と、他方の扉の吊元側の垂直辺側縁と下側の水平辺側縁とに設置する前止水付勢部と、扉枠の垂直枠に設置する垂直枠止水受部と水平枠に設置する水平枠止水受部と、他方の扉の戸先側の垂直辺側縁に設置する扉止水受部と、からなり、後止水付勢部と前止水付勢部は、各扉に接続するための平坦面を一側面の長手方向に形成した扉接続基部を有し、扉接続基部の他側面には先端先鋭の凸部を長手方向に連続して形成した止水凸部を有し、他方の扉の下側の水平辺側縁に設置する前止水付勢部は、戸先を越えて伸延する延長付勢部を有すると共に、延長付勢部は、閉蓋時に一方の扉の戸先側の角部に位置する後止水付勢部と近接し、垂直枠止水受部は、垂直枠に接続する垂直枠接続基部と、止水凸部と当接して弾性変形するシール材を収容した垂直枠シール部とを有し、水平枠止水受部は、水平枠に接続する水平枠接続基部と、止水凸部と当接して弾性変形するシール材を収容した水平枠シール部とを有し、扉止水受部は、他方の扉に接続する戸先接続基部と、止水凸部と当接して弾性変形するシール材を収容した戸先シール部とを有し、水平枠止水受部は、閉蓋時に戸先シール部の端部側と嵌合する切欠き嵌合部を形成したことより、建物内外の出入口や通路に形成された既存の扉に後付けで設置可能であり、水害の際に扉からの浸水を容易に防止できると共に、構造がシンプルで安価に製造することができる。
【００１９】
また、延長付勢部により両扉の召し合わせ部分の水密性を向上させることができる。
【００２０】
請求項２記載の発明によれば、垂直枠止水受部は、垂直枠シール部の下部に垂直枠ビス挿通部を形成したことより、垂直枠へのビス止めを容易に行なうことができ、シール材に負荷を与えることもなく垂直枠止水受部を垂直枠に強固に接続することができる。
【００２１】
請求項３記載の発明によれば、水平枠止水受部は、水平枠シール部の下部に水平枠ビス挿通部を形成したことより、水平枠へのビス止めを容易に行なうことができ、シール材に負荷を与えることもなく水平枠止水受部を水平枠に強固に接続することができる。
【００２２】
請求項４記載の発明によれば、垂直枠シール部に収容するシール材は、内側に傾斜した断面視台形状に形成したことより、閉蓋時に閉蓋途中で止水凸部とシール材が当接するまでの時間を長くすることができ、止水凸部がシール材を弾性変形させながら密着当接することによって生じる曲げモーメントを緩和して止水凸部やシール材への負荷を軽減することができる。
【００２３】
請求項５記載の発明によれば、一方の扉と他方の扉の吊元側の垂直辺側縁に設置する後止水付勢部と前止水付勢部の扉接続基部は、凸部に対して吊元側よりも戸先側に幅広に形成したことより、閉蓋時に止水凸部がシール材を弾性変形させながら密着当接することによって吊元側から戸先側に向けて生じる大きな曲げモーメントに対して扉との接続強度を向上させることができる。
【図面の簡単な説明】
【００２４】
【図１】本実施形態に係る止水ユニットを設置した観音開き戸の内側の斜視図である。
【図２】図１において垂直枠止水受部と水平枠止水受部と扉止水受部を除去した状態を示す観音開き戸の斜視図である。
【図３】図１において両扉を少しだけ開蓋した状態を示す観音開き戸の斜視図である。
【図４】図３において水平枠止水受部を除去した状態を示す観音開き戸の斜視図である。
【図５】本実施形態に係る止水ユニットを設置した観音開き戸の外側の斜視図である。
【図６】図１において後止水付勢部と前止水付勢部の止水凸部を破線で示した状態を示す観音開き戸の正面図である
【図７】図６のＡ−Ａ線断面図とＢ−Ｂ線断面図とＣ−Ｃ線断面図である。
【図８】図７に示したＡ−Ａ線断面図において扉の開閉状態を示した断面図である。
【図９】（ａ）は図６のＤ−Ｄ線断面図で、（ｂ）は（ａ）の変形例である。
【図１０】（ａ）は扉下縁の召し合わせ部分に位置する後止水付勢部と前止水付勢部と、対向する水平枠止水受部と扉止水受部の各々のシール材を示す部分斜視図で、（ｂ）は各部の関係を示すために（ａ）の各部を移動した説明図である。
【図１１】本実施形態に係る止水ユニットの後止水付勢部と前止水付勢部を扉全体に設置した状態を示す各扉の正面図である。
【図１２】（ａ）〜（ｄ）は一方の扉の吊元側の後止水付勢部において扉接続基部の幅員や形成方向等の各変形例を示す簡易断面図である。
【発明を実施するための形態】
【００２５】
本発明に係る止水ユニットの要旨は、扉枠の左右の吊元側でヒンジを介して開閉自在とした外開きの観音開き戸の内側に後付けして外側からの進水を止水自在とする止水ユニットであって、一方の扉の吊元側と戸先側の垂直辺側縁と下側の水平辺側縁とに設置する後止水付勢部と、他方の扉の吊元側の垂直辺側縁と下側の水平辺側縁とに設置する前止水付勢部と、扉枠の垂直枠に設置する垂直枠止水受部と水平枠に設置する水平枠止水受部と、他方の扉の戸先側の垂直辺側縁に設置する扉止水受部と、からなり、後止水付勢部と前止水付勢部は、各扉に接続するための平坦面を一側面の長手方向に形成した扉接続基部を有し、扉接続基部の他側面には先端先鋭の凸部を長手方向に連続して形成した止水凸部を有し、他方の扉の下側の水平辺側縁に設置する前止水付勢部は、戸先を越えて伸延する延長付勢部を有すると共に、延長付勢部は、閉蓋時に一方の扉の戸先側の角部に位置する後止水付勢部と近接し、垂直枠止水受部は、垂直枠に接続する垂直枠接続基部と、止水凸部と当接して弾性変形するシール材を収容した垂直枠シール部とを有し、水平枠止水受部は、水平枠に接続する水平枠接続基部と、止水凸部と当接して弾性変形するシール材を収容した水平枠シール部とを有し、扉止水受部は、他方の扉に接続する戸先接続基部と、止水凸部と当接して弾性変形するシール材を収容した戸先シール部とを有し、水平枠止水受部は、閉蓋時に戸先シール部の端部側と嵌合する切欠き嵌合部を形成したことを特徴とする。すなわち、建物内外の出入口や通路に形成された既存の扉に後付けで設置可能で水害の際に扉からの浸水を容易に防止できると共に、構造がシンプルで安価に製造できる止水ユニットの提供を図ろうとするものである。
【００２６】
以下、本発明に係る止水ユニット１の一実施形態について図面を参照しながら説明する。また、本説明中において左右同一又は左右対称の構造や部品については、原則として同一の符号を付し、左右何れか一方のみを説明して、他方については説明を適宜省略する。
【００２７】
また、本説明中における左右とは、図１に示した観音開き戸Ａの内側Ｕを基準として紙面の右側を右とし、左側を左として説明する。すなわち、一方の扉ａ１が左側に位置し、他方の扉ａ２は右側に位置することになる。
【００２８】
また、観音開き戸Ａは、垂直枠Ｆｖに枢止連結したヒンジＴ側を吊元とし、両扉ａ１，ａ２が近接する召し合わせ側を戸先として説明する。
【００２９】
また、本説明に係る観音開き戸Ａは、図１や図９等に示すように、床面Ｇの上部に扉枠Ｆを立設したものとして説明しているが、床面Ｇの高さを扉枠Ｆの下側の水平枠Ｆｈの内側面Ｆｈｎの高さとすることや、水平枠止水受部２３の上端の高さにする等、既存の観音開き戸Ａの施工状況に応じて止水ユニット１を設置すればよい。
【００３０】
また、進水方向は観音開き戸Ａの外側Ｗ（図５）となり、止水ユニット１が設置される内側（図１）への浸水を防止するユニットとして説明する。
【００３１】
また、以下の説明においては、観音開き戸Ａに形成されたドアノブＸについて言及しないが、本実施形態では一方の扉ａ１の前後面に回動自在の握り玉を有するドアノブＸが配設された観音開き戸Ａを対象として説明を割愛している。
【００３２】
なお、図中では他方の扉ａ２にはドアノブが配設されていないが、両扉ａ１，ａ２のドアノブＸの有無や種類等については対象とする既存の観音開き戸Ａによるため特に言及しない。
【００３３】
また、既存の観音開き戸Ａに併設されたドアノブＸが止水対応されていないものであれば対策済の市販のドアノブに交換することや、他の部材によりドアノブ全体を水密に被覆することや、止水テープによる貼着、パテ等により事前対策をしておくことが望ましい。
【００３４】
本発明の実施形態に係る止水ユニット１は、図１〜図５、図７、図９（ａ）に示すように、扉枠Ｆの左右の吊元側Ｓ（ＳＬ，ＳＲ）でヒンジＴを介して開閉自在とした外開きの観音開き戸Ａの内側Ｕに後付けして外側Ｗからの進水を止水自在とする止水ユニット１であって、一方の扉ａ１の吊元側ＳＬと戸先側ＤＬの垂直辺側縁と下側の水平辺側縁とに設置する後止水付勢部２（２Ｌ，２Ｒ，２Ｓ）と、他方の扉ａ２の吊元側ＳＲの垂直辺側縁と下側の水平辺側縁とに設置する前止水付勢部４（４Ｒ，４Ｓ）と、扉枠Ｆの垂直枠Ｆｖに設置する垂直枠止水受部１１（１１Ｌ，１１Ｒ）と水平枠Ｆｈに設置する水平枠止水受部２３と、他方の扉ａ２の戸先側ＤＲの垂直辺側縁に設置する扉止水受部３７と、からなり、後止水付勢部２と前止水付勢部４は、各扉ａ１，ａ２に接続するための平坦面を一側面の長手方向に形成した扉接続基部６を有し、扉接続基部６の他側面には先端先鋭の凸部８を長手方向に連続して形成した止水凸部７を有し、他方の扉ａ２の下側の水平辺側縁に設置する前止水付勢部４Ｓは、戸先を越えて伸延する延長付勢部５を有すると共に、延長付勢部５は、閉蓋時に一方の扉ａ１の戸先側ＤＬの角部に位置する後止水付勢部２Ｒと近接し、垂直枠止水受部１１は、垂直枠Ｆｖに接続する垂直枠接続基部１２と、止水凸部７と当接して弾性変形する垂直枠シール材１７を収容した垂直枠シール部１４とを有し、水平枠止水受部２３は、水平枠Ｆｈに接続する水平枠接続基部２４と、止水凸部７と当接して弾性変形する水平枠シール材３０を収容した水平枠シール部２６とを有し、扉止水受部３７は、他方の扉ａ２に接続する戸先接続基部３８と、止水凸部７と当接して弾性変形する戸先シール材４２を収容した戸先シール部４０とを有し、水平枠止水受部２３は、閉蓋時に戸先シール部４０の端部側と嵌合する切欠き嵌合部３１を形成している。
【００３５】
ここで、図１は、閉蓋された外開きの観音開き戸Ａの内側Ｕに止水ユニット１を設置した様子を内側から視認したものであり、左右の垂直枠Ｆｖに設置した垂直枠止水受部１１（１１Ｌ，１１Ｒ）と下側の水平枠Ｆｈに設置した水平枠止水受部２３と他方の扉ａ２の戸先側ＤＲの垂直辺側縁に設置した扉止水受部３７が前面に露出して確認できる。
【００３６】
また、図２は、垂直枠止水受部１１と水平枠止水受部２３と扉止水受部３７の裏側に被覆されるように両扉ａ１，ａ２に設置した後止水付勢部２（２Ｌ，２Ｒ，２Ｓ）と前止水付勢部４（４Ｒ，４Ｓ）を示しており、前面に露出した垂直枠止水受部１１と水平枠止水受部２３と扉止水受部３７を除去するとこのように図示される。
【００３７】
また、図３は、閉蓋された図１の状態から両扉ａ１，ａ２を少しだけ開蓋した状態を示しており、図４は、図３において水平枠止水受部２３と扉止水受部３７を除去した状態を示しており、扉止水受部３７に被覆されて図１や図３では視認できなかった他方の扉ａ２の下側の水平辺側縁に設置した前止水付勢部４Ｓにおいて戸先を越えて伸延する延長付勢部５を確認することができる。
【００３８】
また、図５は、閉蓋された外開きの観音開き戸Ａを外側Ｗから視認したものであり、本実施形態では両扉ａ１，ａ２を外側Ｗから内側Ｕに付勢して係止固定する回転式の係止部材５０を両扉ａ１，ａ２の下側の水平辺側縁の一部と、対向する下側の水平枠Ｆｈに跨いで形成している。
【００３９】
このように構成することで、既存の観音開き戸Ａに後付けで止水ユニット１をなす後止水付勢部２と前止水付勢部４と扉止水受部３７を両扉ａ１，ａ２に設置し、垂直枠止水受部１１と水平枠止水受部２３を扉枠Ｆに設置するだけで水害の際に観音開き戸Ａからの浸水を容易に防止することができる。
【００４０】
しかも、上述の通り構成部材が少なくシンプルな構造なので当該ユニット１を安価に提供することができる。
【００４１】
なお、本実施形態に係る止水ユニット１の説明においては、図１等で示すように、止水ユニット１を観音開き戸Ａの下半部に設置したものを主として説明しているが、下半部と同様の構成を上半部に対称に設置して観音開き戸Ａの全体を止水自在とする構成であってもよい。
【００４２】
次に、本実施形態に係る止水ユニット１について具体的に詳述する。
【００４３】
図６は、閉蓋された外開きの観音開き戸Ａの内側Ｕに止水ユニット１を設置した様子を内側Ｕから視認した図１の正面図であり、垂直枠止水受部１１と水平枠止水受部２３と扉止水受部３７で被覆された後止水付勢部２と前止水付勢部４を破線で示したものであり、三列に平行に示した破線のうち中央に位置する破線は凸部８を示している。
【００４４】
後止水付勢部２（２Ｌ，２Ｒ，２Ｓ）は、図４に示すように、一方の扉ａ１の吊元側ＳＬと戸先側ＤＬの垂直辺側縁と下側の水平辺側縁とに設置して外観視Ｕ字状に形成しており、図６で示した吊元側ＳＬと戸先側ＤＬの垂直辺側縁に設置した後止水付勢部２Ｌ，２ＲのＡ−Ａ線断面図とＢ−Ｂ線断面図を図７に示し、図６で示した下側の水平辺側縁に設置した後止水付勢部２ＳのＤ−Ｄ線断面図を図９（ａ）に示している。
【００４５】
また、前止水付勢部４（４Ｒ，４Ｓ）は、図４に示すように、他方の扉ａ２の吊元側ＳＲの垂直辺側縁と下側の水平辺側縁とに設置して外観視逆Ｌ字状に形成しており、図６で示した吊元側ＳＲの垂直辺側縁に設置した前止水付勢部４ＲのＣ−Ｃ線断面図を図７に示し、図６で示した下側の水平辺側縁に設置した前止水付勢部４Ｓの断面図は上述の後止水付勢部２ＳのＤ−Ｄ線断面図を示す図９（ａ）と略同一のため割愛している。
【００４６】
また、一方の扉ａ１の吊元側ＳＬの垂直辺側縁に設置する後止水付勢部２Ｌは、他方の扉ａ２の吊元側ＳＲの垂直辺側縁に設置する前止水付勢部４Ｒと同様の構成で対称に形成しており、また、一方の扉ａ１の下側の水平辺側縁に設置する後止水付勢部２Ｓは、他方の扉ａ２の下側の水平辺側縁に設置する前止水付勢部４Ｓに延長付勢部５を形成している点以外は同様の構成であるため前止水付勢部４Ｒ，４Ｓについては適宜説明を省略する。
【００４７】
図７、図９（ａ）に示すように、後止水付勢部２Ｌ，２Ｒ，２Ｓと前止水付勢部４Ｒ，４Ｓは、各々の扉ａ１，ａ２に接続するための平坦面を一側面の長手方向に形成した扉接続基部６を有し、扉接続基部６の他側面には頂角を外方に配置した先端先鋭の凸部８を長手方向に連続して形成した三角形状の止水凸部７を形成している。
【００４８】
また、後止水付勢部２Ｌ，２Ｒ，２Ｓと前止水付勢部４Ｒ，４Ｓは金属材料からなり、本実施形態ではステンレス材を用いて扉接続基部６と止水凸部７を一体に形成し、止水凸部７の左右側から露出した扉接続基部６には長手方向に沿って所定間隔に第一ビス孔６ａを複数穿設し、両扉ａ１，ａ２に第一ビス６ｂにより固定される。
【００４９】
なお、本実施形態に係る後止水付勢部２と前止水付勢部４は、密でブロック状の三角形状の止水凸部７と板状の扉接続基部６を一体に形成したものとして説明しているが、例えば、帯状の板材を屈曲して形成してもよい。この場合、止水凸部７の裏面側、すなわち扉側に位置する扉接続基部６の止水凸部７の直後方には扉接続基部６が形成されず１辺が開放された略三角形状の空間が長手方向に伸延する形となる。
【００５０】
また、後止水付勢部２Ｌ，２Ｒ，２Ｓと前止水付勢部４Ｒ，４Ｓの止水凸部７は、扉枠Ｆの垂直枠Ｆｖに設置する後述する垂直枠止水受部１１Ｌ，１１Ｒと水平枠Ｆｈに設置する水平枠止水受部２３と他方の扉ａ２の戸先側ＤＲの垂直辺側縁に設置する扉止水受部３７の各々に配設した垂直枠シール材１７、水平枠シール材３０、戸先シール材４２と水密に当接して観音開き戸Ａの外側Ｗからの進水を防止する。
【００５１】
なお、図８に示すように、扉ａ１を閉蓋する際は、後止水付勢部２Ｌの止水凸部７が垂直枠止水受部１１Ｌの垂直枠シール材１７を弾性変形させながら密着当接するため吊元側ＳＬの後止水付勢部２Ｌには吊元側ＳＬから戸先側ＤＬに向けて大きな曲げモーメントＭが生じるため、扉ａ１と後止水付勢部２Ｌとの接続強度を向上させる必要がある。
【００５２】
すなわち、吊元側ＳＬの後止水付勢部２Ｌには、凸部８を基点として吊元側ＳＬから戸先側ＤＬに向けて後止水付勢部２Ｌを引き剥がすような力が作用する。
【００５３】
従って、吊元側ＳＬの垂直辺側縁に設置する後止水付勢部２Ｌの扉接続基部６は、設置する扉の大きさや状況に応じて図１２（ａ）〜（ｄ）に示すように、凸部８に対して吊元側ＳＬよりも戸先側ＤＬの幅員ｔ２を幅広に形成することで一方の扉ａ１と後止水付勢部２Ｌとの接続強度を向上させることができる。
【００５４】
この場合、後止水付勢部２Ｌへの負荷が特に大きい場合は、図１２（ａ）に示すように、戸先側ＤＬの幅員ｔ２を吊元側ＳＬの幅員ｔ１の３倍以上、望ましくは５倍以上に形成しつつ吊元側ＳＬと戸先側ＤＬからビス止めにて一方の扉ａ１と接続する。
【００５５】
なお、後止水付勢部２Ｌへの負荷の程度によっては、図１２（ｂ）に示すように、吊元側ＳＬはビス止めせず戸先側ＤＬのみのビス止めにて一方の扉ａ１と接続してもよい。
【００５６】
また、後止水付勢部２Ｌと一方の扉ａ１との接続においては、接続強度が保たれる限りビス止めは必須ではなく、例えば、図１２（ｃ）に示すように、戸先側ＤＬの幅員ｔ２を吊元側ＳＬの幅員ｔ１の５倍以上に形成しつつ扉接続基部６と一方の扉ａ１との間を両面テープ９や接着剤等を介して接続してもよく、このように形成することで施工を簡略化することができる。
【００５７】
更に、図１２（ｄ）に示すように、扉接続基部６を戸先側ＤＬのみに形成して扉接続基部６と一方の扉ａ１との間を両面テープ９や接着剤等を介して接続してもよい。
【００５８】
このように、扉接続基部６の幅員や形成方向は閉蓋時の後止水付勢部２Ｌへの負荷に応じて種々の構成を適用でき、しかも、上述した図１２（ａ）〜（ｄ）の構成を適宜組み合わせたものとしてもよい。
【００５９】
なお、上述した構成は、他方の扉ａ２に対称に形成される吊元側ＳＲの前止水付勢部４Ｒに対しても同様に適用されることは言うまでもない。
【００６０】
また、一方の扉ａ１の戸先側ＤＬの垂直辺側縁に設置する後止水付勢部２Ｒは、他方の扉ａ２が閉蓋した状態で一方の扉ａ１を閉蓋しても、後止水付勢部２Ｒの止水凸部７は閉蓋直前まで他方の扉ａ２の戸先側ＤＲに設置した扉止水受部３７の戸先シール材４２と密着当接しないため、凸部８を基点とする曲げモーメントＭは小さく、上述のような扉接続基部６の幅員や形成方向については特段の考慮は不要だが、扉接続基部６と一方の扉ａ１との間を両面テープ９や接着剤等を介して接続することで施工を簡略化することができる。
【００６１】
また、一方の扉ａ１と他方の扉ａ２の下側の水平辺側縁に設置する後止水付勢部２Ｓと前止水付勢部４Ｓは、両扉ａ１，ａ２を閉蓋しても、止水凸部７は水平枠止水受部２３の水平枠シール材３０に対して略正面から密着当接していくため後止水付勢部２Ｓと前止水付勢部４Ｓの短手方向への負荷は限定的であり、長手方向に対しても負荷は小さく、閉蓋途中で長手方向に生じる凸部８を基点とする曲げモーメントＭも閉蓋完了時にはほぼ解消されるため上述のような扉接続基部６の幅員や形成方向についての特段の考慮は不要であるが、扉接続基部６と両扉ａ１，ａ２との間を両面テープ９や接着剤等を介して接続することで施工を簡略化することができる。
【００６２】
また、図４や図１１（扉全体を止水する場合の後止水付勢部２と前止水付勢部４を示す図）に示すように、他方の扉ａ２の下側（図１１の場合は上側も）の水平辺側縁に設置する前止水付勢部４Ｓは、戸先を越えて伸延する延長付勢部５を有すると共に、延長付勢部５は、閉蓋時に一方の扉ａ１の戸先側ＤＬの角部に位置する後止水付勢部２Ｒ，２Ｓと近接するように形成している。
【００６３】
すなわち、図１０（ａ）に示すように、閉蓋時において一方の扉ａ１の下側の水平辺側縁に設置する後止水付勢部２Ｓの凸部８と他方の扉ａ２の延長付勢部５の凸部８とが水平方向に連続するように形成している。
【００６４】
なお、延長付勢部５の先端部の凸部８の裏面側にはシート状のシール材を貼着し、閉蓋時に後止水付勢部２Ｒ，２Ｓと密着当接するように形成して水密性を向上させてもよい。
【００６５】
次に、垂直枠止水受部１１（１１Ｌ，１１Ｒ）と扉止水受部３７と水平枠止水受部２３について具体的に詳述する。
【００６６】
垂直枠止水受部１１は、図１、図６に示すように、扉枠Ｆの左右の垂直枠Ｆｖの戸当たりＢの内側面Ｂｎに沿って設置され、図６で示したＡ−Ａ線断面図とＣ−Ｃ線断面図を図７に示している。
【００６７】
垂直枠止水受部１１は、金属製で垂直枠Ｆｖに沿った長尺に形成し、垂直枠Ｆｖに接続する平板状の垂直枠接続基部１２と、止水凸部７と当接して弾性変形する垂直枠シール材１７を収容した断面視略コ字状の垂直枠シール部１４からなる。
【００６８】
なお、本実施形態では平板状の垂直枠接続基部１２の一部に垂直枠シール部１４の下片１５を重設して一体に形成している。
【００６９】
また、垂直枠止水受部１１の下端部と、後述する水平枠止水受部２３の両端部とが交わる両扉ａ１，ａ２の角部においては、例えば、図１に示すように、垂直枠接続基部１２と水平枠接続基部２４とが４５°で当接するように垂直枠止水受部１１と水平枠止水受部２３の端部を斜めに形成すると共に、垂直枠シール材１７と水平枠シール材３０とが水密に当接すように構成している。
【００７０】
なお、垂直枠止水受部１１と、水平枠止水受部２３とが交わる当該部分は、垂直枠シール材１７と水平枠シール材３０とが水密に当接する以上、金属部分を溶接等で一体に形成することや、４５°以外の角度で当接させる等、種々の変形・変更が可能である。
【００７１】
垂直枠接続基部１２には長手方向に沿って所定間隔に第二ビス孔１３を複数穿設し、垂直枠Ｆｖの戸当たりＢの内側面Ｂｎに垂直枠シール部１４の外側面を当接させた状態で戸当たりＢの前面Ｂｆに垂直枠接続基部１２の内側を当接させて第二ビス１３ａにより垂直枠Ｆｖに固定される。
【００７２】
垂直枠シール部１４に収容する垂直枠シール材１７は、断面視矩形状の一辺のみ内側に傾斜させた傾斜面１８を有する断面視台形状に形成し、閉蓋時に後止水付勢部２Ｌや前止水付勢部４Ｒの止水凸部７と傾斜面１８とが対峙するように垂直枠シール部１４に収容される。
【００７３】
なお、断面視略コ字状の垂直枠シール部１４は、垂直枠シール材１７の形状に倣って対向する二片１６ａ，１６ｂの長さを垂直枠シール材１７の上底と下底の長さと略同長さに形成しており、また、当該片１６ａ，１６ｂが両扉ａ１，ａ２や後止水付勢部２Ｌ、前止水付勢部４Ｒと接触しないように形成している。
【００７４】
また、垂直枠Ｆｖの戸当たりＢの内側面Ｂｎから突出する垂直枠シール部１４の幅員は、両扉ａ１，ａ２の吊元側ＳＬ，ＳＲの垂直辺側縁に設置する後止水付勢部２Ｌと前止水付勢部４Ｒが正面視で被覆される程度に形成している。
【００７５】
また、本実施形態に係る垂直枠止水受部１１は、扉枠Ｆとの接続をより向上させるために図７に示すように、垂直枠シール部１４の下部に垂直枠ビス挿通部１９を形成している。
【００７６】
垂直枠ビス挿通部１９は、垂直枠シール部１４の下片１５を嵩上げするように形成し、対向する二片１６ａ，１６ｂにより第三ビス２０ａが貫通する程度の断面視矩形状の空間をなしている。
【００７７】
垂直枠ビス挿通部１９の二片１６ａ，１６ｂには、垂直枠Ｆｖの戸当たりＢの内側面Ｂｎに向けてビス止めするための第三ビス孔２０，２０を長手方向に沿って所定間隔に複数穿設している。
【００７８】
なお、垂直枠ビス挿通部１９を形成せず、図９（ｂ）に示す後述する水平枠止水受部２３のように垂直枠Ｆｖの戸当たりＢの内側面Ｂｎと当接させる垂直枠シール部１４の外側面（片１６ｂ）だけに長手方向に沿って所定間隔に第三ビス孔２０を複数穿設し、第三ビス２０ａにより戸当たりＢと接続してもよい。
【００７９】
扉止水受部３７は、図１、図６に示すように、他方の扉ａ２の戸先側ＤＲの垂直辺側縁に沿って設置され、図６で示したＢ−Ｂ線断面図を図７に示している。
【００８０】
扉止水受部３７は、金属製で他方の扉ａ２の戸先側ＤＲの垂直辺側縁に沿った長尺に形成し、他方の扉ａ２に接続する平板状の戸先接続基部３８と、一方の扉ａ１側に伸延し止水凸部７と当接して弾性変形する戸先シール材４２を収容した断面視略コ字状の戸先シール部４０からなる。
【００８１】
なお、本実施形態では、扉止水受部３７は帯状の平板を屈曲することで戸先接続基部３８と戸先シール部４０を断面視略柄杓状に一体に形成している。
【００８２】
戸先接続基部３８には長手方向に沿って所定間隔に第四ビス孔３９を複数穿設し、他方の扉ａ２の戸先側ＤＲの垂直辺側縁に当接させて第四ビス３９ａにより他方の扉ａ２に固定される。
【００８３】
戸先シール部４０に収容する戸先シール材４２は、断面視矩形状に形成し、閉蓋時に後止水付勢部２Ｒの止水凸部７と戸先シール材４２とが対峙するように戸先シール部４０に収容される。
【００８４】
なお、断面視略コ字状の戸先シール部４０は、対向する二片４１ａ，４１ｂのうち外側の片４１ａの長さを戸先シール材４２の長さよりも短く形成することで当該片４１ａが一方の扉ａ１や後止水付勢部２Ｒと接触しないように形成している。
【００８５】
また、一方の扉ａ１側に伸延する戸先シール部４０の幅員は、一方の扉ａ１の戸先側ＤＬの垂直辺側縁に設置する後止水付勢部２Ｒが正面視で被覆される程度に形成している。
【００８６】
また、扉止水受部３７の戸先接続基部３８の下端は、図３または図６に示すように、他方の扉ａ２の下側の水平辺側縁に設置する前止水付勢部４Ｓに干渉しない長さに形成すると共に、戸先シール部４０の下端は、他方の扉ａ２の下側の前止水付勢部４Ｓの凸部８よりも上方に位置する長さに形成し、閉蓋時に戸先シール部４０が後述する水平枠止水受部２３と干渉しないように水平枠止水受部２３には戸先シール部４０の端部側と嵌合する切欠き嵌合部３１を形成している。
【００８７】
水平枠止水受部２３は、図３、図６に示すように、下側の水平枠Ｆｈの上面に沿って設置され、図６で示したＤ−Ｄ線断面図を図９（ａ）、（ｂ）に示している。
【００８８】
水平枠止水受部２３は、金属製で水平枠Ｆｈに沿った長尺に形成し、水平枠Ｆｈに接続する平板状の水平枠接続基部２４と、止水凸部７と当接して弾性変形する水平枠シール材３０を収容した断面視略コ字状の水平枠シール部２６からなる。
【００８９】
なお、本実施形態では平板状の水平枠接続基部２４の一部に水平枠シール部２６の下片２９を重設して一体に形成している。
【００９０】
また、上述したように、水平枠止水受部２３の両端部と、垂直枠止水受部１１の下端部とが交わる両扉ａ１，ａ２の角部においては、例えば、図１に示すように、水平枠接続基部２４と垂直枠接続基部１２とが４５°で当接するように水平枠止水受部２３と垂直枠止水受部１１の端部を斜めに形成すると共に、水平枠シール材３０と垂直枠シール材１７とが水密に当接すように構成している。
【００９１】
なお、水平枠止水受部２３と、垂直枠止水受部１１とが交わる当該部分は、水平枠シール材３０と垂直枠シール材１７とが水密に当接する以上、金属部分を溶接等で一体に形成することや、４５°以外の角度で当接させる等、種々の変形・変更が可能である。
【００９２】
水平枠接続基部２４には長手方向に沿って所定間隔に第五ビス孔２５を複数穿設し、水平枠Ｆｈの内側面Ｆｈｎに水平枠シール部２６の外側面を当接させた状態で水平枠Ｆｈの前面Ｆｈｆに水平枠接続基部２４の内側を当接させて第五ビス２５ａにより水平枠Ｆｈに固定される。
【００９３】
また、水平枠シール部２６に収容する水平枠シール材３０は、断面視矩形状に形成し、閉蓋時に後止水付勢部２Ｓ（下端の一部について吊元側ＳＬと戸先側ＤＬの後止水付勢部２Ｌ，２Ｒを含む）と前止水付勢部４Ｓ（下端の一部について吊元側ＳＲの前止水付勢部４Ｒを含む）の止水凸部７と水平枠シール材３０とが対峙するように水平枠シール部２６に収容される。
【００９４】
なお、断面視略コ字状の水平枠シール部２６は、対向する二片２７ａ，２７ｂのうち外側の片２７ａの長さを水平枠シール材３０の長さよりも短くすることで当該片２７ａが両扉ａ１，ａ２や後止水付勢部２、前止水付勢部４と接触しないように形成している。
【００９５】
また、下側の水平枠Ｆｈの上面から突出する水平枠シール部２６の高さは、両扉ａ１，ａ２の下側の水平辺側縁に設置する後止水付勢部２Ｓと前止水付勢部４Ｓが正面視で被覆される程度に形成している。
【００９６】
また、本実施形態に係る水平枠止水受部２３は、扉枠Ｆとの接続をより向上させるために図９（ａ）に示すように、水平枠シール部２６の下部に水平枠ビス挿通部３３を形成している。
【００９７】
水平枠ビス挿通部３３は、水平枠シール部２６の下片２９を嵩上げするように形成し、対向する二片２７ａ，２７ｂにより第六ビス３４ａが貫通する程度の断面視矩形状の空間をなしている。
【００９８】
水平枠ビス挿通部３３の二片２７ａ，２７ｂには、水平枠Ｆｈの内側面Ｆｈｎに向けてビス止めするための第六ビス孔３４，３４を長手方向に沿って所定間隔に複数穿設している。
【００９９】
なお、水平枠ビス挿通部３３を形成せず、図９（ｂ）に示すように、水平枠Ｆｈの内側面Ｆｈｎと当接させる水平枠シール部２６の外側面（片２７ｂ）だけに長手方向に沿って所定間隔に第六ビス孔３４を複数穿設し、第六ビス３４ａにより水平枠Ｆｈと接続してもよい。
【０１００】
また、閉蓋時に両扉ａ１，ａ２の戸先側ＤＬ，ＤＲが近接する召し合わせ部分の下端縁は、図３または図６に示すように、扉止水受部３７の戸先シール部４０の下端縁が水平枠止水受部２３と干渉しないように水平枠止水受部２３の略中央部に戸先シール部４０の端部側と嵌合する切欠き嵌合部３１を形成して干渉を回避している。
【０１０１】
ここで、図１０（ａ）は、閉蓋時における水平枠止水受部２３の水平枠シール部２６に収容される水平枠シール材３０と扉止水受部３７の戸先シール部４０に収容される戸先シール材４２の位置関係を模式的に示した説明図であり、水平枠シール部２６に収容される水平枠シール材３０には矩形凹状の切欠き嵌合部３１が形成され、この切欠き嵌合部３１に扉止水受部３７の戸先シール部４０に収容される戸先シール材４２が水密に嵌合する。
【０１０２】
また、図１０（ｂ）の上図は、一方の扉ａ１の戸先側ＤＬと下側の水平辺側縁に設置される後止水付勢部２Ｒ，２Ｓに対して他方の扉ａ２に設置される扉止水受部３７の戸先シール部４０に収容される戸先シール材４２との位置関係を示す図で、図１０（ｂ）の下図は、他方の扉ａ２の下側の水平辺側縁に設置される前止水付勢部４Ｓに対して水平枠止水受部２３の水平枠シール部２６に収容される水平枠シール材３０との位置関係を示す図である。
【０１０３】
また、図６に示すように、一方の扉ａ１の戸先側ＤＬの垂直辺側縁と下側の水平辺側縁に設置する後止水付勢部２Ｒ，２Ｓと、他方の扉ａ２の下側の水平辺側縁に設置する前止水付勢部４Ｓの延長付勢部５が交わる箇所４４は、切欠き嵌合部３１よりも下側となるように種々の部材を配設している。
【０１０４】
なお、実際には、図１０（ａ）に示した水平枠シール部２６に収容される水平枠シール材３０に形成した切欠き嵌合部３１には、扉止水受部３７の戸先シール材４２を収容する金属製の戸先シール部４０を介して嵌合するため、水密性を向上するために切欠き嵌合部３１の幅員は戸先シール部４０の幅員よりも若干だけ狭く形成している。
【０１０５】
そのため、他方の扉ａ２を閉蓋する際に切欠き嵌合部３１に少しでも戸先シール部４０を嵌合し易くするために、例えば、図１０（ｂ）に示す切欠き嵌合部３１の開口縁３２にテーパを形成することや、切欠き嵌合部３１に嵌合する戸先シール部４０の外周面にシート状のシール材を貼着して水密性を更に向上させてもよい。
【０１０６】
また、本実施形態に係る切欠き嵌合部３１は、水平枠シール材３０と同様に金属製の水平枠シール部２６も矩形凹状に切欠して形成しているが、嵌合する戸先シール部４０と水平枠シール部２６とが接触して干渉しないように水平枠シール部２６に収容される水平枠シール材３０の切欠開口よりも水平枠シール部２６の切欠開口を広く形成している。
【０１０７】
なお、切欠き嵌合部３１の水密性が弱い場合には、閉蓋後に切欠き嵌合部３１の周縁を止水テープ等で貼着してもよく、また、水平枠シール部２６の切欠き嵌合部３１は、水平枠シール部２６の垂直面や上面の水平面の一部を切欠する等、本発明の要旨の範囲内において種々の変形・変更が可能である。
【０１０８】
また、図５、図９（ａ）に示すように、本実施形態では両扉ａ１，ａ２を外側Ｗから内側Ｕに付勢して係止固定する回転式の係止部材５０を両扉ａ１，ａ２の下側の水平辺側縁の一部と、対向する下側の水平枠Ｆｈに跨いで形成している。
【０１０９】
係止部材５０は、水平方向を軸心方向として垂直方向に回動する回動係止部５１と、回動係止部５１と係合する係合受部５７とで構成し、回動係止部５１は、板状の回動基部５２と、回動基部５２に突設した回動軸５３と、回動軸５３周りに回動自在に形成した略三日月状でその一方の端部に傾斜部５５を形成した鍵部５４と、鍵部５４に連接した把持部５６とからなり、回動基部５２を両扉ａ１，ａ２の下側の水平辺側縁の召し合わせ側近傍に把持部５６が上方となるように接続固定している。
【０１１０】
また、係合受部５７は、板状の固定基部５８と、固定基部５８に突設した側面視逆Ｌ字状の係合付勢部５９とからなり、固定基部５８を回動係止部５１と対向する下側の水平枠Ｆｈの外周面に係合付勢部５９の開放片６０の端部が上方となるように接続固定することで開放片６０と水平枠Ｆｈの外周面との間に鍵部５４が挿入される空間６１を形成している。
【０１１１】
係合付勢部５９による空間６１には、把持部５６により回動させた鍵部５４に形成した傾斜部５５が挿入され、傾斜部５５が係合付勢部５９の開放片６０の内側に当接しながら付勢することで両扉ａ１，ａ２を内側Ｕ、すなわち止水ユニット１の設置側に付勢させることができる。
【０１１２】
なお、本実施形態では両扉ａ１，ａ２に係止部材５０を配設しているが、一方の扉ａ１に配設することで他方の扉ａ２も同時に内側Ｕに付勢するため必ずしも両扉ａ１，ａ２に配設することはなく、また、係止部材５０を配設する必要が無ければそれでもよい。
【０１１３】
また、係止部材５０は本実施形態に限定されず、例えば、所謂フランス落し等の部材を用いる等、種々の変形・変更が可能である。
【０１１４】
以上、説明したように本実施形態に係る止水ユニット１は構成しており、止水ユニット１を観音開き戸Ａの下半部のみに設置するか全体に設置するかは状況に応じて適宜選択すればよい。
【０１１５】
このような止水ユニット１は、扉枠Ｆの左右の吊元側Ｓ（ＳＬ，ＳＲ）でヒンジＴを介して開閉自在とした外開きの観音開き戸Ａの内側Ｕに後付けして外側Ｗからの進水を止水自在とする止水ユニット１であって、一方の扉ａ１の吊元側ＳＬと戸先側ＤＬの垂直辺側縁と下側の水平辺側縁とに設置する後止水付勢部２（２Ｌ，２Ｒ，２Ｓ）と、他方の扉ａ２の吊元側ＳＲの垂直辺側縁と下側の水平辺側縁とに設置する前止水付勢部４（４Ｒ，４Ｓ）と、扉枠Ｆの垂直枠Ｆｖに設置する垂直枠止水受部１１（１１Ｌ，１１Ｒ）と水平枠Ｆｈに設置する水平枠止水受部２３と、他方の扉ａ２の戸先側ＤＲの垂直辺側縁に設置する扉止水受部３７と、からなり、後止水付勢部２と前止水付勢部４は、各扉ａ１，ａ２に接続するための平坦面を一側面の長手方向に形成した扉接続基部６を有し、扉接続基部６の他側面には先端先鋭の凸部８を長手方向に連続して形成した止水凸部７を有し、他方の扉ａ２の下側の水平辺側縁に設置する前止水付勢部４Ｓは、戸先を越えて伸延する延長付勢部５を有すると共に、延長付勢部５は、閉蓋時に一方の扉ａ１の戸先側ＤＬの角部に位置する後止水付勢部２Ｒと近接し、垂直枠止水受部１１は、垂直枠Ｆｖに接続する垂直枠接続基部１２と、止水凸部７と当接して弾性変形する垂直枠シール材１７を収容した垂直枠シール部１４とを有し、水平枠止水受部２３は、水平枠Ｆｈに接続する水平枠接続基部２４と、止水凸部７と当接して弾性変形する水平枠シール材３０を収容した水平枠シール部２６とを有し、扉止水受部３７は、他方の扉ａ２に接続する戸先接続基部３８と、止水凸部７と当接して弾性変形する戸先シール材４２を収容した戸先シール部４０とを有し、水平枠止水受部２３は、閉蓋時に戸先シール部４０の端部側と嵌合する切欠き嵌合部３１を形成したことより、建物内外の出入口や通路に形成された既存の扉Ａに後付けで設置可能であり、水害の際に扉Ａからの浸水を容易に防止できると共に、構造がシンプルで安価に製造することができる。
【０１１６】
また、延長付勢部５により両扉ａ１，ａ２の召し合わせ部分の水密性を向上させることができる。
【０１１７】
また、垂直枠止水受部１１は、垂直枠シール部１４の下部に垂直枠ビス挿通部１９を形成したことより、垂直枠Ｆｖへのビス止めを容易に行なうことができ、垂直枠シール材１７に負荷を与えることもなく垂直枠止水受部１１を垂直枠Ｆｖに強固に接続することができる。
【０１１８】
また、水平枠止水受部２３は、水平枠シール部２６の下部に水平枠ビス挿通部３３を形成したことより、水平枠Ｆｈへのビス止めを容易に行なうことができ、水平枠シール材３０に負荷を与えることもなく水平枠止水受部２３を水平枠Ｆｈに強固に接続することができる。
【０１１９】
更に、垂直枠シール部１４に収容する垂直枠シール材１７は、内側に傾斜した断面視台形状に形成したことより、閉蓋時に閉蓋途中で止水凸部７と垂直枠シール材１７が当接するまでの時間を長くすることができ、止水凸部７が垂直枠シール材１７を弾性変形させながら密着当接することによって生じる曲げモーメントを緩和して止水凸部７や垂直枠シール材１７への負荷を軽減することができる。
【０１２０】
しかも、一方の扉ａ１と他方の扉ａ２の吊元側ＳＬ，ＳＲの垂直辺側縁に設置する後止水付勢部２Ｌと前止水付勢部４Ｒの扉接続基部６は、凸部８に対して吊元側ＳＬ，ＳＲよりも戸先側ＤＬ，ＤＲに幅広に形成したことより、閉蓋時に止水凸部７が垂直枠シール材１７を弾性変形させながら密着当接することによって吊元側ＳＬ，ＳＲから戸先側ＤＬ，ＤＲに向けて生じる大きな曲げモーメントに対して扉ａ１，ａ２との接続強度を向上させることができる。
【０１２１】
以上、本発明の本実施形態に係る止水ユニット１の好ましい実施形態について説明したが、本発明は特定の実施形態に限定されるものではなく、種々の変形・変更が可能である。
【符号の説明】
【０１２２】
Ａ  観音開き戸
ａ１  一方の扉
ａ２  他方の扉
ＤＬ  戸先側（一方の扉）
ＤＲ  戸先側（他方の扉）
Ｆ  扉枠
Ｆｈ  水平枠
Ｆｖ  垂直枠
Ｓ  吊元側（ＳＬ，ＳＲ）
Ｔ  ヒンジ
Ｕ  内側
Ｗ  外側
１  止水ユニット
２  後止水付勢部（２Ｌ，２Ｒ，２Ｓ）
４  前止水付勢部（４Ｒ，４Ｓ）
５  延長付勢部
６  扉接続基部
７  止水凸部
８  凸部
１１  垂直枠止水受部
１２  垂直枠接続基部
１４  垂直枠シール部
１７  （垂直枠）シール材
１９  垂直枠ビス挿通部
２３  水平枠止水受部
２４  水平枠接続基部
２６  水平枠シール部
３０  （水平枠）シール材
３１  切欠き嵌合部
３３  水平枠ビス挿通部
３７  扉止水受部
３８  戸先接続基部
４２  （戸先）シール材
４６  戸先シール部
【要約】
【課題】既存の扉に後付けで設置可能で水害の際に浸水を容易に防止できる止水ユニットを提供する。
【解決手段】本発明に係る止水ユニット１は、一方の扉ａ１に設置する後止水付勢部２と、他方の扉ａ２に設置する前止水付勢部４と、垂直枠Ｆｖに設置する垂直枠止水受部１１と水平枠Ｆｈに設置する水平枠止水受部２３と、他方の扉ａ２に設置する扉止水受部３７と、からなり、後止水付勢部２と前止水付勢部４は扉接続基部６と止水凸部７を有し、前止水付勢部４は延長付勢部５を有し、垂直枠止水受部１１は、垂直枠接続基部１２と、シール材１７を収容した垂直枠シール部１４とを有し、水平枠止水受部２３は、水平枠接続基部２４と、シール材３０を収容した水平枠シール部２６とを有し、扉止水受部３７は、戸先接続基部３８と、シール材４２を収容した戸先シール部４０とを有し、水平枠止水受部２３は切欠き嵌合部３１を形成したことを特徴とする。
【選択図】図１【図１】
0006707246.tif 000002
【図２】
0006707246.tif 000003
【図３】
0006707246.tif 000004
【図４】
0006707246.tif 000005
【図５】
0006707246.tif 000006
【図６】
0006707246.tif 000007
【図７】
0006707246.tif 000008
【図８】
0006707246.tif 000009
【図９】
0006707246.tif 000010
【図１０】
0006707246.tif 000011
【図１１】
0006707246.tif 000012
【図１２】
0006707246.tif 000013